【手続補正書】
【提出日】平成29年10月24日(2017.10.24)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
前記装置が第１の帯域幅のためにサポートすることが可能である第１の変調およびコーディング方式（ＭＣＳ）セットを示す第１のフィールドと、前記装置が第２の帯域幅のためにサポートすることが可能である第２のＭＣＳセットを示す第２のフィールドとを有するフレームを生成するように構成された処理システムと、
ここにおいて、前記第２のフィールドの異なる値は、前記装置が前記第２の帯域幅のためにサポートすることが可能である異なるＭＣＳセットを示し、
前記第１のフィールドは、前記装置が前記第１の帯域幅のために前記第１のＭＣＳセットを用いた受信をサポートすることが可能であることをさらに示し、前記第２のフィールドは、前記装置が前記第２の帯域幅のために前記第２のＭＣＳセットを用いた受信をサポートすることが可能であることをさらに示し、
前記フレームは、前記装置が前記第１の帯域幅上での送信のためにサポートすることが可能である第３のＭＣＳセットを示す第３のフィールドと、前記装置が前記第２の帯域幅上での送信のためにサポートすることが可能である第４のＭＣＳセットを示す第４のフィールドとをさらに備え、
送信のために前記フレームを出力するように構成されたインターフェースとを備える、装置。
【請求項２】
前記第１の帯域幅が２ＭＨｚ以上の帯域幅を備え、前記第２の帯域幅が１ＭＨｚ以下の帯域幅を備える、請求項１に記載の装置。
【請求項３】
前記第２のフィールドの前記異なる値は、前記装置が前記第２のＭＣＳセットを使用して前記第２の帯域幅においてサポートすることが可能である異なる数の空間ストリームを示す、請求項１に記載の装置。
【請求項４】
前記第２のフィールドの前記異なる値のうちの少なくとも１つが、前記第１のフィールドによって示されるのと同じ、空間ストリームの数およびＭＣＳセットを示す、請求項１に記載の装置。
【請求項５】
前記第２のフィールドの前記異なる値のうちの少なくとも１つは、前記装置が単一空間ストリームのために前記第２の帯域幅において前記第２のＭＣＳセットをサポートすることが可能であることを示す、請求項１に記載の装置。
【請求項６】
ワイヤレス通信のための装置であって、
前記装置が第１の帯域幅のためにサポートすることが可能である第１の変調およびコーディング方式（ＭＣＳ）セットを示す第１のフィールドと、前記装置が第２の帯域幅のためにサポートすることが可能である第２のＭＣＳセットを示す第２のフィールドとを有するフレームを生成するように構成された処理システムと、
ここにおいて、前記第２のフィールドの異なる値は、前記装置が前記第２の帯域幅のためにサポートすることが可能である異なるＭＣＳセットを示し、
前記第２のフィールドの前記異なる値によって示される前記異なるＭＣＳセットは、前記装置が前記第１のフィールドの異なる値を介して示すことができる異なるＭＣＳセットに対応し、
送信のために前記フレームを出力するように構成されたインターフェースとを備える、装置。
【請求項７】
前記第１のＭＣＳセットは、前記装置が前記第１の帯域幅を含む複数の帯域幅のためにサポートすることが可能であるＭＣＳセットを備える、請求項１に記載の装置。
【請求項８】
前記第１のＭＣＳセットが、異なる数の空間ストリームに関連するＭＣＳを備える、請求項１に記載の装置。
【請求項９】
ワイヤレス通信のための装置であって、
第１のフィールドと第２のフィールドとを有するフレームをワイヤレスノードから受信するためのインターフェースと、
前記第１のフィールドの値から、前記ワイヤレスノードが第１の帯域幅のためにサポートする第１の変調およびコーディング方式（ＭＣＳ）セットを決定することと、
前記第２のフィールドの値から、前記ワイヤレスノードが第２の帯域幅のためにサポートする第２のＭＣＳセットを決定することと、
前記第１のフィールドの前記値から、前記ワイヤレスノードが前記第１の帯域幅を使用して前記第１のＭＣＳセットを用いた受信をサポートすることが可能であると決定することと、
前記第２のフィールドの前記値から、前記ワイヤレスノードが前記第２の帯域幅を使用して前記第２のＭＣＳセットを用いた受信をサポートすることが可能であると決定することと、
第３のフィールドの値から、前記ワイヤレスノードが前記第１の帯域幅を使用して送信のために第３のＭＣＳセットをサポートすることが可能であると決定することと、
第４のフィールドの値から、前記ワイヤレスノードが前記第２の帯域幅を使用して送信のために第４のＭＣＳセットをサポートすることが可能であると決定することと、ここにおいて、前記第４のフィールドの異なる値は、前記装置が前記第２の帯域幅のためにサポートすることが可能である異なるＭＣＳセットを示し、
前記第１の帯域幅と前記第１または第３のＭＣＳセット中のＭＣＳ、または
前記第２の帯域幅と前記第２または第４のＭＣＳセット中のＭＣＳ
のうちの少なくとも１つを使用して、前記ワイヤレスノードと通信するように前記装置を構成することとを行うように構成された処理システムとを備える、装置。
【請求項１０】
前記第１の帯域幅が２ＭＨｚ以上の帯域幅を備え、前記第２の帯域幅が１ＭＨｚ以下の帯域幅を備える、請求項９に記載の装置。
【請求項１１】
前記処理システムは、
前記第２のフィールドの前記値から、前記ワイヤレスノードが前記第２のＭＣＳセットを使用して前記第２の帯域幅のためにサポートすることが可能である空間ストリームの数を決定することと、
前記第２の帯域幅と、前記第２のＭＣＳセット中のＭＣＳと、前記決定された数の空間ストリームとを使用して、前記ワイヤレスノードと通信するように前記装置を構成することとを行うように構成された、請求項９に記載の装置。
【請求項１２】
前記処理システムは、
前記第２のフィールドの前記値から、前記ワイヤレスノードが前記第１のフィールドによって示されるのと同じ、空間ストリームの数およびＭＣＳセットを前記第２の帯域幅のためにサポートすることが可能であると決定することと、
前記第２の帯域幅と、前記第１のＭＣＳセット中のＭＣＳと、前記決定された数の空間ストリームとを使用して、前記ワイヤレスノードと通信するように前記装置を構成することとを行うように構成された、請求項９に記載の装置。
【請求項１３】
前記処理システムは、
前記第２のフィールドの前記値から、前記ワイヤレスノードが単一空間ストリームに対する前記第２の帯域幅のために前記第２のＭＣＳセットをサポートすることが可能であると決定することと、
前記第２の帯域幅と、前記第２のＭＣＳセット中のＭＣＳと、単一空間ストリームとを使用して、前記ワイヤレスノードと通信するように前記装置を構成することとを行うように構成された、請求項９に記載の装置。
【請求項１４】
前記処理システムは、
前記第１のフィールドの前記値から、前記ワイヤレスノードが前記第１の帯域幅を含む複数の帯域幅のために前記第１のＭＣＳセットをサポートすることが可能であると決定することと、
前記複数の帯域幅のうちの１つと、前記第１のＭＣＳセット中のＭＣＳとを使用して、前記ワイヤレスノードと通信するように前記装置を構成することとを行うように構成された、請求項９に記載の装置。
【請求項１５】
前記処理システムは、
前記第１のフィールドの前記値から、前記ワイヤレスノードが異なる数の空間ストリームに関連する、前記第１のＭＣＳセット中のＭＣＳをサポートすることが可能であると決定することと、
前記第１の帯域幅と、前記第１のＭＣＳセット中のＭＣＳと、前記異なる数の空間ストリームの空間ストリームの数とを使用して、前記ワイヤレスノードと通信するように前記装置を構成することとを行うように構成された、請求項９に記載の装置。
【請求項１６】
装置によるワイヤレス通信のための方法であって、
前記装置が第１の帯域幅のためにサポートすることが可能である第１の変調およびコーディング方式（ＭＣＳ）セットを示す第１のフィールドと、前記装置が第２の帯域幅のためにサポートすることが可能である第２ＭＣＳセットを示す第２のフィールドとを有するフレームを生成することと、
ここにおいて、前記第２のフィールドの異なる値は、前記装置が前記第２の帯域幅のためにサポートすることが可能である異なるＭＣＳセットを示し、
前記第１のフィールドは、前記装置が前記第１の帯域幅のために前記第１のＭＣＳセットを用いた受信をサポートすることが可能であることをさらに示し、前記第２のフィールドは、前記装置が前記第２の帯域幅のために前記第２のＭＣＳセットを用いた受信をサポートすることが可能であることをさらに示し、
前記フレームは、前記装置が前記第１の帯域幅上での送信のためにサポートすることが可能である第３のＭＣＳセットを示す第３のフィールドと、前記装置が前記第２の帯域幅上での送信のためにサポートすることが可能である第４のＭＣＳセットを示す第４のフィールドとをさらに備え、
送信のために前記フレームを出力することとを備える、方法。
【請求項１７】
前記第１の帯域幅が２ＭＨｚ以上の帯域幅を備え、前記第２の帯域幅が１ＭＨｚ以下の帯域幅を備える、請求項１６に記載の方法。
【請求項１８】
前記第２のフィールドの前記異なる値は、前記装置が前記第２のＭＣＳセットを使用して前記第２の帯域幅においてサポートすることが可能である異なる数の空間ストリームを示す、請求項１６に記載の方法。
【請求項１９】
前記第２のフィールドの前記異なる値のうちの少なくとも１つが、前記第１のフィールドによって示されるのと同じ、空間ストリームの数およびＭＣＳセットを示す、請求項１６に記載の方法。
【請求項２０】
前記第２のフィールドの前記異なる値のうちの少なくとも１つは、前記装置が単一空間ストリームのために前記第２の帯域幅においてサポートすることが可能である異なるＭＣＳセットを示す、請求項１６に記載の方法。
【請求項２１】
装置によるワイヤレス通信のための方法であって、
前記装置が第１の帯域幅のためにサポートすることが可能である第１の変調およびコーディング方式（ＭＣＳ）セットを示す第１のフィールドと、前記装置が第２の帯域幅のためにサポートすることが可能である第２ＭＣＳセットを示す第２のフィールドとを有するフレームを生成することと、
ここにおいて、前記第２のフィールドの異なる値は、前記装置が前記第２の帯域幅のためにサポートすることが可能である異なるＭＣＳセットを示し、
前記第２のフィールドの前記異なる値によって示される前記異なるＭＣＳセットは、前記装置が前記第１のフィールドの異なる値を介して示すことができる異なるＭＣＳセットに対応し、
送信のために前記フレームを出力することとを備える、方法。
【請求項２２】
装置によるワイヤレス通信のための方法であって、
第１のフィールドと第２のフィールドとを有するフレームをワイヤレスノードから受信することと、
前記第１のフィールドの値から、前記ワイヤレスノードが第１の帯域幅のためにサポートする第１の変調およびコーディング方式（ＭＣＳ）セットを決定することと、
前記第２のフィールドの値から、前記ワイヤレスノードが第２の帯域幅のためにサポートする第２のＭＣＳセットを決定することと、
前記第１のフィールドの前記値から、前記ワイヤレスノードが前記第１の帯域幅のためにサポートする前記第１のＭＣＳセットを決定することは、前記ワイヤレスノードが前記第１の帯域幅を使用して前記第１のＭＣＳセットを用いた受信をサポートすることが可能であると決定することを備え、
前記第２のフィールドの前記値から、前記ワイヤレスノードが前記第２の帯域幅のためにサポートする前記第２のＭＣＳセットを決定することは、前記ワイヤレスノードが前記第２の帯域幅を使用して前記第２のＭＣＳセットを用いた受信をサポートすることが可能であると決定することを備え、
第３のフィールドの値から、前記ワイヤレスノードが前記第１の帯域幅を使用して送信のために第３のＭＣＳセットをサポートすることが可能であると決定することと、
第４のフィールドの値から、前記ワイヤレスノードが前記第２の帯域幅を使用して送信のために第４のＭＣＳセットをサポートすることが可能であると決定することと、ここにおいて、前記第４のフィールドの異なる値は、前記ワイヤレスノードが前記第２の帯域幅のためにサポートすることが可能である異なるＭＣＳセットを示す、
前記第１の帯域幅と前記第１または第３のＭＣＳセット中のＭＣＳ、および
前記第２の帯域幅と前記第２または第４のＭＣＳセット中のＭＣＳ
のうちの少なくとも１つを使用して、前記ワイヤレスノードと通信することとを備える、方法。
【請求項２３】
前記第１の帯域幅が２ＭＨｚ以上の帯域幅を備え、前記第２の帯域幅が１ＭＨｚ以下の帯域幅を備える、請求項２２に記載の方法。
【請求項２４】
前記第２のフィールドの前記値から、前記ワイヤレスノードが前記第２のＭＣＳセットを使用して前記第２の帯域幅のためにサポートすることが可能である空間ストリームの数を決定することと、
前記第２の帯域幅と、前記第２のＭＣＳセット中のＭＣＳと、前記決定された数の空間ストリームとを使用して、前記ワイヤレスノードと通信することとをさらに備える、請求項２２に記載の方法。
【請求項２５】
前記第２のフィールドの前記値から、前記ワイヤレスノードが前記第１のフィールドによって示されるのと同じ、空間ストリームの数およびＭＣＳセットを前記第２の帯域幅のためにサポートすることが可能であると決定することと、
前記第２の帯域幅と、前記第１のＭＣＳセット中のＭＣＳと、前記決定された数の空間ストリームとを使用して、前記ワイヤレスノードと通信することとをさらに備える、請求項２２に記載の方法。
【請求項２６】
前記第２のフィールドの前記値から、前記ワイヤレスノードが単一空間ストリームに対する前記第２の帯域幅のために前記第２のＭＣＳセットをサポートすることが可能であると決定することと、
前記第２の帯域幅と、前記第２のＭＣＳセット中のＭＣＳと、単一空間ストリームとを使用して、前記ワイヤレスノードと通信することとをさらに備える、請求項２２に記載の方法。
【請求項２７】
前記フレームを送信するための送信機をさらに備え、前記装置はワイヤレス局として構成される、請求項１に記載の装置。
【請求項２８】
前記フレームを受信するための受信機をさらに備え、前記装置はアクセスポイントとして構成される、請求項９に記載の装置。
【手続補正２】
【補正対象書類名】明細書
【補正対象項目名】００９６
【補正方法】変更
【補正の内容】
【００９６】
[00108]特許請求の範囲は、上記で示した厳密な構成および構成要素に限定されないことを理解されたい。特許請求の範囲から逸脱することなく、上記で説明した方法および装置の構成、動作および詳細において、様々な修正、変更および変形が行われ得る。
以下に、本願出願の当初の特許請求の範囲に記載された発明を付記する。
［１］  ワイヤレス通信のための装置であって、
前記装置が第１の帯域幅のためにサポートすることが可能である第１の変調およびコーディング方式（ＭＣＳ）セットを示す第１のフィールドと、前記装置が第２の帯域幅のためにサポートすることが可能である第２の変調およびコーディング方式（ＭＣＳ）セットを示す第２のフィールドとを有するフレームを生成するように構成された処理システムと、ここにおいて、前記第２のフィールドの異なる値は、前記装置が前記第２の帯域幅のためにサポートすることが可能である異なるＭＣＳセットを示し、
送信のために前記フレームを出力するように構成されたインターフェースとを備える、装置。
［２］  前記第１の帯域幅が２ＭＨｚ以上の帯域幅を備え、前記第２の帯域幅が１ＭＨｚ以下の帯域幅を備える、［１］に記載の装置。
［３］  前記第２のフィールドの前記異なる値は、前記装置が前記第２のＭＣＳセットを使用して前記第２の帯域幅においてサポートすることが可能である異なる数の空間ストリームを示す、［１］に記載の装置。
［４］  前記第２のフィールドの前記異なる値のうちの少なくとも１つが、前記第１のフィールドによって示されるのと同じ、空間ストリームの数およびＭＣＳセットを示す、［１］に記載の装置。
［５］  前記第２のフィールドの前記異なる値のうちの少なくとも１つは、前記装置が単一空間ストリームのために前記第２の帯域幅において前記第２のＭＣＳセットをサポートすることが可能であることを示す、［１］に記載の装置。
［６］  前記第２のフィールドの前記異なる値によって示される前記異なるＭＣＳセットは、前記装置が前記第１のフィールドの異なる値を介して示すことができる異なるＭＣＳセットに対応する、［１］に記載の装置。
［７］  前記第１のＭＣＳセットは、前記装置が前記第１の帯域幅を含む複数の帯域幅のためにサポートすることが可能であるＭＣＳセットを備える、［１］に記載の装置。
［８］  前記第１のＭＣＳセットが、異なる数の空間ストリームに関連するＭＣＳを備える、［１］に記載の装置。
［９］  前記第１のフィールドは、前記装置が前記第１の帯域幅のために前記第１のＭＣＳセットを用いた受信をサポートすることが可能であることをさらに示し、前記第２のフィールドは、前記装置が前記第２の帯域幅のために前記第２のＭＣＳセットを用いた受信をサポートすることが可能であることをさらに示し、
前記フレームは、前記装置が前記第１の帯域幅上での送信のためにサポートすることが可能である第３の変調およびコーディング方式（ＭＣＳ）セットを示す第３のフィールドと、前記装置が前記第２の帯域幅上での送信のためにサポートすることが可能である第４の変調およびコーディング方式（ＭＣＳ）セットを示す第４のフィールドとをさらに備える、［１］に記載の装置。
［１０］  ワイヤレス通信のための装置であって、
第１のフィールドと第２のフィールドとを有するフレームをワイヤレスノードから受信するためのインターフェースと、
前記第１のフィールドの値から、前記ワイヤレスノードが第１の帯域幅のためにサポートする第１の変調およびコーディング方式（ＭＣＳ）セットを決定することと、前記第２のフィールドの値から、前記ワイヤレスノードが第２の帯域幅のためにサポートする第２のＭＣＳセットを決定することと、
前記第１の帯域幅と前記第１のＭＣＳセット中のＭＣＳ、または
前記第２の帯域幅と前記第２のＭＣＳセット中のＭＣＳ
のうちの少なくとも１つを使用して、前記ワイヤレスノードと通信するように前記装置を構成することとを行うように構成された処理システムとを備える、装置。
［１１］  前記第１の帯域幅が２ＭＨｚ以上の帯域幅を備え、前記第２の帯域幅が１ＭＨｚ以下の帯域幅を備える、［１０］に記載の装置。
［１２］  前記処理システムは、
前記第２のフィールドの前記値から、前記ワイヤレスノードが前記第２のＭＣＳセットを使用して前記第２の帯域幅のためにサポートすることが可能である空間ストリームの数を決定することと、
前記第２の帯域幅と、前記第２のＭＣＳセット中のＭＣＳと、前記決定された数の空間ストリームとを使用して、前記ワイヤレスノードと通信するように前記装置を構成することとを行うように構成された、［１０］に記載の装置。
［１３］  前記処理システムは、
前記第２のフィールドの前記値から、前記ワイヤレスノードが前記第１のフィールドによって示されるのと同じ、空間ストリームの数およびＭＣＳセットを前記第２の帯域幅のためにサポートすることが可能であると決定することと、
前記第２の帯域幅と、前記第１のＭＣＳセット中のＭＣＳと、前記決定された数の空間ストリームとを使用して、前記ワイヤレスノードと通信するように前記装置を構成することとを行うように構成された、［１０］に記載の装置。
［１４］  前記処理システムは、
前記第２のフィールドの前記値から、前記ワイヤレスノードが単一空間ストリームに対する前記第２の帯域幅のために前記第２のＭＣＳセットをサポートすることが可能であると決定することと、
前記第２の帯域幅と、前記第２のＭＣＳセット中のＭＣＳと、単一空間ストリームとを使用して、前記ワイヤレスノードと通信するように前記装置を構成することとを行うように構成された、［１０］に記載の装置。
［１５］  前記処理システムは、
前記第１のフィールドの前記値から、前記ワイヤレスノードが前記第１の帯域幅を含む複数の帯域幅のために前記第１のＭＣＳセットをサポートすることが可能であると決定することと、
前記複数の帯域幅のうちの１つと、前記第１のＭＣＳセット中のＭＣＳとを使用して、前記ワイヤレスノードと通信するように前記装置を構成することとを行うように構成された、［１０］に記載の装置。
［１６］  前記処理システムは、
前記第１のフィールドの前記値から、前記ワイヤレスノードが異なる数の空間ストリームに関連する、前記第１のＭＣＳセット中のＭＣＳをサポートすることが可能であると決定することと、
前記第１の帯域幅と、前記第１のＭＣＳセット中のＭＣＳと、前記異なる数の空間ストリームの空間ストリームの数とを使用して、前記ワイヤレスノードと通信するように前記装置を構成することとを行うように構成された、［１０］に記載の装置。
［１７］  前記処理システムは、
前記第１のフィールドの前記値から、前記ワイヤレスノードが前記第１の帯域幅を使用する前記第１のＭＣＳセットを用いた受信をサポートすることが可能であると決定することと、
前記第２のフィールドの前記値から、前記ワイヤレスノードが前記第２の帯域幅を使用して前記第２のＭＣＳセットを用いた受信をサポートすることが可能であると決定することと、
第３のフィールドの値から、前記ワイヤレスノードが前記第１の帯域幅を使用する送信のために第３の変調およびコーディング方式（ＭＣＳ）セットをサポートすることが可能であると決定することと、
第４のフィールドの値から、前記ワイヤレスノードが前記第２の帯域幅を使用する送信のために第４の変調およびコーディング方式（ＭＣＳ）セットをサポートすることが可能であると決定することと、ここにおいて、前記第４のフィールドの異なる値は、前記装置が前記第２の帯域幅のためにサポートすることが可能である異なるＭＣＳセットを示し、を行うように構成された、［１０］に記載の装置。
［１８］  装置によるワイヤレス通信のための方法であって、
前記装置が第１の帯域幅のためにサポートすることが可能である第１の変調およびコーディング方式（ＭＣＳ）セットを示す第１のフィールドと、前記装置が第２の帯域幅のためにサポートすることが可能である第２の変調およびコーディング方式（ＭＣＳ）セットを示す第２のフィールドとを有するフレームを生成することと、ここにおいて、前記第２のフィールドの異なる値は、前記装置が前記第２の帯域幅のためにサポートすることが可能である異なるＭＣＳセットを示し、
送信のために前記フレームを出力することとを備える、方法。
［１９］  前記第１の帯域幅が２ＭＨｚ以上の帯域幅を備え、前記第２の帯域幅が１ＭＨｚ以下の帯域幅を備える、［１８］に記載の方法。
［２０］  前記第２のフィールドの前記異なる値は、前記装置が前記第２のＭＣＳセットを使用して前記第２の帯域幅においてサポートすることが可能である異なる数の空間ストリームを示す、［１８］に記載の方法。
［２１］  前記第２のフィールドの前記異なる値のうちの少なくとも１つが、前記第１のフィールドによって示されるのと同じ、空間ストリームの数およびＭＣＳセットを示す、［１８］に記載の方法。
［２２］  前記第２のフィールドの前記異なる値のうちの少なくとも１つは、前記装置が単一空間ストリームのために前記第２の帯域幅においてサポートすることが可能である異なるＭＣＳセットを示す、［１８］に記載の方法。
［２３］  前記第２のフィールドの前記異なる値によって示される前記異なるＭＣＳセットは、前記装置が前記第１のフィールドの異なる値を介して示すことができる異なるＭＣＳセットに対応する、［１８］に記載の方法。
［２４］  前記第１のＭＣＳセットは、前記装置が前記第１の帯域幅を含む複数の帯域幅のためにサポートすることが可能であるＭＣＳセットを備える、［１８］に記載の方法。
［２５］  前記第１のＭＣＳセットが、異なる数の空間ストリームに関連するＭＣＳを備える、［１８］に記載の方法。
［２６］  前記第１のフィールドは、前記装置が前記第１の帯域幅のために前記第１のＭＣＳセットを用いた受信をサポートすることが可能であることをさらに示し、前記第２のフィールドは、前記装置が前記第２の帯域幅のために前記第２のＭＣＳセットを用いた受信をサポートすることが可能であることをさらに示し、
前記フレームは、前記装置が前記第１の帯域幅上での送信のためにサポートすることが可能である第３の変調およびコーディング方式（ＭＣＳ）セットを示す第３のフィールドと、前記装置が前記第２の帯域幅上での送信のためにサポートすることが可能である第４の変調およびコーディング方式（ＭＣＳ）セットを示す第４のフィールドとをさらに備える、［１８］に記載の方法。
［２７］  装置によるワイヤレス通信のための方法であって、
第１のフィールドと第２のフィールドとを有するフレームをワイヤレスノードから受信することと、
前記第１のフィールドの値から、前記ワイヤレスノードが第１の帯域幅のためにサポートする第１の変調およびコーディング方式（ＭＣＳ）セットを決定することと、
前記第２のフィールドの値から、前記ワイヤレスノードが第２の帯域幅のためにサポートする第２のＭＣＳセットを決定することと、
前記第１の帯域幅と前記第１のＭＣＳセット中のＭＣＳ、および
前記第２の帯域幅と前記第２のＭＣＳセット中のＭＣＳ
のうちの少なくとも１つを使用して、前記ワイヤレスノードと通信することとを備える、方法。
［２８］  前記第１の帯域幅が２ＭＨｚ以上の帯域幅を備え、前記第２の帯域幅が１ＭＨｚ以下の帯域幅を備える、［２７］に記載の方法。
［２９］  前記第２のフィールドの前記値から、前記ワイヤレスノードが前記第２のＭＣＳセットを使用して前記第２の帯域幅のためにサポートすることが可能である空間ストリームの数を決定することと、
前記第２の帯域幅と、前記第２のＭＣＳセット中のＭＣＳと、前記決定された数の空間ストリームとを使用して、前記ワイヤレスノードと通信することとをさらに備える、［２７］に記載の方法。
［３０］  前記第２のフィールドの前記値から、前記ワイヤレスノードが前記第１のフィールドによって示されるのと同じ、空間ストリームの数およびＭＣＳセットを前記第２の帯域幅のためにサポートすることが可能であると決定することと、
前記第２の帯域幅と、前記第１のＭＣＳセット中のＭＣＳと、前記決定された数の空間ストリームとを使用して、前記ワイヤレスノードと通信することとをさらに備える、［２７］に記載の方法。
［３１］  前記第２のフィールドの前記値から、前記ワイヤレスノードが単一空間ストリームに対する前記第２の帯域幅のために前記第２のＭＣＳセットをサポートすることが可能であると決定することと、
前記第２の帯域幅と、前記第２のＭＣＳセット中のＭＣＳと、単一空間ストリームとを使用して、前記ワイヤレスノードと通信することとをさらに備える、［２７］に記載の方法。
［３２］  前記第１のフィールドの前記値から、前記ワイヤレスノードが前記第１の帯域幅を含む複数の帯域幅のために前記第１のＭＣＳセットをサポートすることが可能であると決定することと、
前記複数の帯域幅のうちの１つと、前記第１のＭＣＳセット中のＭＣＳとを使用して、前記ワイヤレスノードと通信することとをさらに備える、［２７］に記載の方法。
［３３］  前記第１のフィールドの前記値から、前記ワイヤレスノードが異なる数の空間ストリームに関連する、前記第１のＭＣＳセット中のＭＣＳをサポートすることが可能であると決定することと、
前記第１の帯域幅と、前記第１のＭＣＳセット中のＭＣＳと、前記異なる数の空間ストリームの空間ストリームの数とを使用して、前記ワイヤレスノードと通信することとをさらに備える、［２７］に記載の方法。
［３４］  前記第１のフィールドの前記値から、前記ワイヤレスノードが前記第１の帯域幅のためにサポートする前記第１のＭＣＳセットを決定することは、前記ワイヤレスノードが前記第１の帯域幅を使用して前記第１のＭＣＳセットを用いた受信をサポートすることが可能であると決定することを備え、
前記第２のフィールドの前記値から、前記ワイヤレスノードが前記第２の帯域幅のためにサポートする前記第２のＭＣＳセットを決定することは、前記ワイヤレスノードが前記第２の帯域幅を使用して前記第２のＭＣＳセットを用いた受信をサポートすることが可能であると決定することを備え、
前記方法は、
第３のフィールドの値から、前記ワイヤレスノードが前記第１の帯域幅を使用する送信のために第３のＭＣＳセットをサポートすることが可能であると決定することと、
第４のフィールドの値から、前記ワイヤレスノードが前記第２の帯域幅を使用する送信のために第４のＭＣＳセットをサポートすることが可能であると決定することと、ここにおいて、前記第４のフィールドの異なる値は、前記ワイヤレスノードが前記第２の帯域幅のためにサポートすることが可能である異なるＭＣＳセットを示す、をさらに備える、
［２７］に記載の方法。
［３５］  ワイヤレス通信のための装置であって、
前記装置が第１の帯域幅のためにサポートすることが可能である第１の変調およびコーディング方式（ＭＣＳ）セットを示す第１のフィールドと、前記装置が第２の帯域幅のためにサポートすることが可能である第２の変調およびコーディング方式（ＭＣＳ）セットを示す第２のフィールドとを有するフレームを生成するための手段と、ここにおいて、前記第２のフィールドの異なる値は、前記装置が前記第２の帯域幅のためにサポートすることが可能である異なるＭＣＳセットを示し、
送信のために前記フレームを出力するための手段とを備える、装置。
［３６］  前記第１の帯域幅が２ＭＨｚ以上の帯域幅を備え、前記第２の帯域幅が１ＭＨｚ以下の帯域幅を備える、［３５］に記載の装置。
［３７］  前記第２のフィールドの前記異なる値は、前記装置が前記第２のＭＣＳセットを使用して前記第２の帯域幅においてサポートすることが可能である異なる数の空間ストリームを示す、［３５］に記載の装置。
［３８］  前記第２のフィールドの前記異なる値のうちの少なくとも１つが、前記第１のフィールドによって示されるのと同じ、空間ストリームの数およびＭＣＳセットを示す、［３５］に記載の装置。
［３９］  前記第２のフィールドの前記異なる値のうちの少なくとも１つは、前記装置が単一空間ストリームのために前記第２の帯域幅においてサポートすることが可能である異なるＭＣＳセットを示す、［３５］に記載の装置。
［４０］  前記第２のフィールドの前記異なる値によって示される前記異なるＭＣＳセットは、前記装置が前記第１のフィールドの異なる値を介して示すことができる異なるＭＣＳセットに対応する、［３５］に記載の装置。
［４１］  前記第１のＭＣＳセットは、前記装置が前記第１の帯域幅を含む複数の帯域幅のためにサポートすることが可能であるＭＣＳセットを備える、［３５］に記載の装置。
［４２］  前記第１のＭＣＳセットが、異なる数の空間ストリームに関連するＭＣＳを備える、［３５］に記載の装置。
［４３］  前記第１のフィールドは、前記装置が前記第１の帯域幅のために前記第１のＭＣＳセットを用いた受信をサポートすることが可能であることをさらに示し、
前記第２のフィールドは、前記装置が前記第２の帯域幅のための前記第２のＭＣＳセットを用いた受信をサポートすることが可能であることを示し、
前記フレームは、前記装置が前記第１の帯域幅上での送信のためにサポートすることが可能である第３のＭＣＳセットを示す第３のフィールドと、前記装置が前記第２の帯域幅上での送信のためにサポートすることが可能である第４のＭＣＳセットを示す第４のフィールドとをさらに備える、［３５］に記載の装置。
［４４］  ワイヤレス通信のための装置であって、
第１のフィールドと第２のフィールドとを有するフレームをワイヤレスノードから受信するための手段と、
前記第１のフィールドの値から、前記ワイヤレスノードが第１の帯域幅のためにサポートする第１の変調およびコーディング方式（ＭＣＳ）セットを決定するための手段と、
前記第２のフィールドの値から、前記ワイヤレスノードが第２の帯域幅のためにサポートする第２のＭＣＳセットを決定するための手段と、
前記第１の帯域幅と前記第１のＭＣＳセット中のＭＣＳ、および
前記第２の帯域幅と前記第２のＭＣＳセット中のＭＣＳ
のうちの少なくとも１つを使用して、前記ワイヤレスノードと通信するための手段とを備える、装置。
［４５］  前記第１の帯域幅が２ＭＨｚ以上の帯域幅を備え、前記第２の帯域幅が１ＭＨｚ以下の帯域幅を備える、［４４］に記載の装置。
［４６］  前記第２のフィールドの前記値から、前記ワイヤレスノードが前記第２のＭＣＳセットを使用して前記第２の帯域幅のためにサポートすることが可能である空間ストリームの数を決定するための手段と、
前記第２の帯域幅と、前記第２のＭＣＳセット中のＭＣＳと、前記決定された数の空間ストリームとを使用して、前記ワイヤレスノードと通信するための手段とをさらに備える、［４４］に記載の装置。
［４７］  前記第２のフィールドの前記値から、前記ワイヤレスノードが前記第１のフィールドによって示されるのと同じ、空間ストリームの数およびＭＣＳセットを前記第２の帯域幅のためにサポートすることが可能であると決定するための手段と、
前記第２の帯域幅と、前記第１のＭＣＳセット中のＭＣＳと、前記決定された数の空間ストリームとを使用して、前記ワイヤレスノードと通信するための手段とをさらに備える、［４４］に記載の装置。
［４８］  前記第２のフィールドの前記値から、前記ワイヤレスノードが単一空間ストリームに対する前記第２の帯域幅のために前記第２のＭＣＳセットをサポートすることが可能であると決定するための手段と、
前記第２の帯域幅と、前記第２のＭＣＳセット中のＭＣＳと、単一空間ストリームとを使用して、前記ワイヤレスノードと通信するための手段とをさらに備える、［４４］に記載の装置。
［４９］  前記第１のフィールドの前記値から、前記ワイヤレスノードが前記第１の帯域幅を含む複数の帯域幅のために前記第１のＭＣＳセットをサポートすることが可能であると決定するための手段と、
前記複数の帯域幅のうちの１つと、前記第１のＭＣＳセット中のＭＣＳとを使用して、前記ワイヤレスノードと通信することとをさらに備える、［４４］に記載の装置。
［５０］  前記第１のフィールドの前記値から、前記ワイヤレスノードが異なる数の空間ストリームに関連する、前記第１のＭＣＳセット中のＭＣＳをサポートすることが可能であると決定するための手段と、
前記第１の帯域幅と、前記第１のＭＣＳセット中のＭＣＳと、前記異なる数の空間ストリームの空間ストリームの数とを使用して、前記ワイヤレスノードと通信するための手段とをさらに備える、［４４］に記載の装置。
［５１］  前記第１のフィールドの前記値から、前記ワイヤレスノードが前記第１の帯域幅のためにサポートする前記第１のＭＣＳセットを決定するための前記手段は、前記ワイヤレスノードが前記第１の帯域幅を使用して前記第１のＭＣＳセットを用いた受信をサポートすることが可能であると決定するための手段を備え、
前記第２のフィールドの前記値から、前記ワイヤレスノードが前記第２の帯域幅のためにサポートする前記第２のＭＣＳセットを決定するための前記手段は、前記ワイヤレスノードが前記第２の帯域幅を使用して前記第２のＭＣＳセットを用いた受信をサポートすることが可能であると決定するための手段を備え、
前記装置は、
第３のフィールドの値から、前記ワイヤレスノードが前記第１の帯域幅を使用する送信のために第３のＭＣＳセットをサポートすることが可能であると決定するための手段と、
第４のフィールドの値から、前記ワイヤレスノードが前記第２の帯域幅を使用する送信のために第４のＭＣＳセットをサポートすることが可能であると決定するための手段と、ここにおいて、前記第４のフィールドの異なる値は、前記ワイヤレスノードが前記第２の帯域幅のためにサポートすることが可能である異なるＭＣＳセットを示す、
をさらに備える、［４４］に記載の装置。
［５２］  装置が第１の帯域幅のためにサポートすることが可能である第１の変調およびコーディング方式（ＭＣＳ）セットを示す第１のフィールドと、前記装置が第２の帯域幅のためにサポートすることが可能である第２の変調およびコーディング方式（ＭＣＳ）セットを示す第２のフィールドとを有するフレームを生成することと、ここにおいて、前記第２のフィールドの異なる値は、前記装置が前記第２の帯域幅のためにサポートすることが可能である異なるＭＣＳセットを示し、
送信のために前記フレームを出力することとを行うための命令を記憶したワイヤレス通信のためのコンピュータ可読媒体。
［５３］  第１のフィールドと第２のフィールドとを有するフレームをワイヤレスノードから受信することと、
前記第１のフィールドの値から、前記ワイヤレスノードが第１の帯域幅のためにサポートする第１の変調およびコーディング方式（ＭＣＳ）セットを決定することと、
前記第２のフィールドの値から、前記ワイヤレスノードが第２の帯域幅のためにサポートする第２のＭＣＳセットを決定することと、
前記第１の帯域幅と前記第１のＭＣＳセット中のＭＣＳ、および
前記第２の帯域幅と前記第２のＭＣＳセット中のＭＣＳ
のうちの少なくとも１つを使用して、前記ワイヤレスノードと通信することとを行うための命令を記憶したワイヤレス通信のためのコンピュータ可読媒体。
［５４］  局（ＳＴＡ）であって、
少なくとも１つのアンテナと、
前記ＳＴＡが第１の帯域幅のためにサポートすることが可能である第１の変調およびコーディング方式（ＭＣＳ）セットを示す第１のフィールドと、前記ＳＴＡが第２の帯域幅のためにサポートすることが可能である第２の変調およびコーディング方式（ＭＣＳ）セットを示す第２のフィールドとを有するフレームを生成するように構成された処理システムと、ここにおいて、前記第２のフィールドの異なる値は、前記ＳＴＡが前記第２の帯域幅のためにサポートすることが可能である異なるＭＣＳセットを示し、
前記少なくとも１つのアンテナを介して、ワイヤレスノードに前記フレームを送信するように構成された送信機とを備える、局（ＳＴＡ）。
［５５］  アクセスポイント（ＡＰ）であって、
少なくとも１つのアンテナと、
前記少なくとも１つのアンテナを介して、ワイヤレスノードから第１のフィールドと第２のフィールドとを有するフレームを受信するように構成された受信機と、
送信機と、
処理システムとを備え、前記処理システムは、
前記第１のフィールドの値から、前記ワイヤレスノードが第１の帯域幅のためにサポートする第１の変調およびコーディング方式（ＭＣＳ）セットを決定することと、
前記第２のフィールドの値から、前記ワイヤレスノードが第２の帯域幅のためにサポートする第２のＭＣＳセットを決定することと、
前記第１の帯域幅と前記第１のＭＣＳセット中のＭＣＳ、および
前記第２の帯域幅と前記第２のＭＣＳセット中のＭＣＳ
のうちの少なくとも１つを使用して、前記ワイヤレスノードと通信するように前記送信機および前記受信機を構成することとを行うように構成された、アクセスポイント（ＡＰ）。